(57)【要約】  本願開示は、熱可塑性ポレオレフィン（ＴＰＯ）膜を備えるバッテンシステムの様々な実施形態を開示する。ある実施形態において、バッテンは、互いにヒートシールされた複数のＴＰＯ膜を備え得る。ヒートシールされたＴＰＯ膜は、１以上の連結装置を噛み合わせるための複数の非シール領域を膜の間に包含し得る。スレートシングルは、１以上の連結装置に吊るされ得る。【選択図】図３Ａ
2015501896.tif 000002
【特許請求の範囲】
【請求項１】
第１熱可塑性ポリオレフィン（ＴＰＯ）上層及び第１ＴＰＯ下層の間に配置された第１ＴＰＯスクリム層を備える第１ＴＰＯ膜と、
第２ＴＰＯ上層及び第２ＴＰＯ下層の間に配置された第２ＴＰＯスクリム層を備える第２ＴＰＯ膜と、を備え、
前記第１ＴＰＯ膜及び前記第２ＴＰＯ膜の間の非シール領域を複数間隔を置いて残しつつ、前記第１ＴＰＯ下層は前記第２ＴＰＯ上層とシール領域でヒートシールされ、
１以上の連結装置が、シール領域の上端部に添って、かつ前記シール領域の下端部にひっかかることにより、各連結装置が屋根葺きバッテンシステムに固定されるように、前記第１ＴＰＯ膜及び前記第２ＴＰＯ膜の間の隣り合う非シール領域に収容される、屋根葺きバッテンシステム。
【請求項２】
第１熱可塑性ポリオレフィン（ＴＰＯ）上層、第１ＴＰＯ下層、及び所望により、それらの間に配置された第１ＴＰＯスクリム層を備える第１ＴＰＯ膜と、
第２ＴＰＯ上層、第２ＴＰＯ下層、及び所望により、それらの間に配置された第２ＴＰＯスクリム層を備える第２ＴＰＯ膜と、を備え、
前記第１ＴＰＯ膜及び前記第２ＴＰＯ膜の間の非シール領域を複数間隔を置いて残しつつ、前記第１ＴＰＯ下層は前記第２ＴＰＯ上層とシール領域でヒートシールされ、
前記第１ＴＰＯ膜及び前記第２ＴＰＯ膜の間に位置する隣り合う非シール領域は、連結装置が、介在するシール領域の上端部と接し、介在するシール領域の下端部に留められるように、連結装置を収容する構成を有する、屋根葺きバッテンシステム。
【請求項３】
前記収容された連結工具は、第１非シール領域に収容可能な第１部分と、上端部と接触可能な第２部分と、第２非シール領域に収容可能な第３部分と、下端部に固定可能な第４部分とを備える、請求項２に記載の屋根葺きバッテンシステム。
【請求項４】
前記連結工具の第４部分は、ホック、テール、ラッチ、ショルダー、又はこれらの組み合わせを含む、請求項３に記載の屋根葺きバッテンシステム。
【請求項５】
連結工具は、１つの開口部を有する概して矩形形状又は１つの開口部を有する概して六角形状を有する、請求項２に記載の屋根葺きバッテンシステム。
【請求項６】
第１非シール領域及び第２非シール領域は、実質的に互いに平行である、請求項２に記載の屋根葺きバッテンシステム。
【請求項７】
第１非シール領域、第２非シール領域、又は第１非シール領域及び第２非シール領域の両方は、実質的にフォールラインと平行である、請求項２に記載の屋根葺きバッテンシステム。
【請求項８】
第１熱可塑性ポリオレフィン（ＴＰＯ）上層、第１ＴＰＯ下層、及び所望により、それらの間に配置された第１ＴＰＯスクリム層を備える第１ＴＰＯ膜と、
第２ＴＰＯ上層、第２ＴＰＯ下層、及び所望により、それらの間に配置された第２ＴＰＯスクリム層を備える第２ＴＰＯ膜と、
前記第１ＴＰＯ下層の第１部分及び前記第２ＴＰＯ上層の第１部分の間に位置するヒートシールを備える第１シール領域と、
前記第１ＴＰＯ下層の第２部分及び前記第２ＴＰＯ上層の第２部分の間に位置するヒートシールを備える第２シール領域と、
前記第１ＴＰＯ下層の第３部分及び前記第２ＴＰＯ上層の第３部分の間に位置するヒートシールを備える第３シール領域と、を備え、
前記第１シール領域及び前記第２シール領域は、第１非シール領域により分離され、
前記第２シール領域及び前記第３シール領域は、第２非シール領域により分離され、
前記第１非シール領域及び前記第２非シール領域は、前記第１ＴＰＯ膜及び前記第２ＴＰＯ膜の間に連結装置を収容するように構成されている、屋根葺きバッテンシステム。
【請求項９】
前記第１ＴＰＯ膜及び前記第２ＴＰＯ膜は、ともに上端部及び下端部を規定する、請求項８に記載の屋根葺きバッテンシステム。
【請求項１０】
第１非シール領域は、さらに収容された連結工具が上端部と接するように構成され、
第２非シール領域は、さらに収容された連結工具が下端部に留められるように構成されている、請求項９に記載の屋根葺きバッテンシステム。
【請求項１１】
収容された連結工具は、第１非シール領域に収容可能な第１部分と、上端部に接触可能な第２部分と、第２非シール領域に収容可能な第３部分と、下端部に留められ得る第４部分とを備える、請求項１０に記載の屋根葺きバッテンシステム。
【請求項１２】
前記連結工具の第４部分は、ホック、テール、ラッチ、ショルダー又は、これらの組み合わせを備える、請求項１１に記載の屋根葺きバッテンシステム。
【請求項１３】
前記連結工具は、１つの開口部を有する概して矩形形状又は１つの開口部を有する概して六角形状を有する、請求項８に記載の屋根葺きバッテンシステム。
【請求項１４】
第１非シール領域及び第２非シール領域は、実質的に互いに平行である、請求項８に記載の屋根葺きバッテンシステム。
【請求項１５】
第１非シール領域、第２非シール領域、又は第１非シール領域及び第２非シール領域の両方は、フォールラインと実質的に平行である、請求項８に記載の屋根葺きバッテンシステム。
【請求項１６】
前記第１ＴＰＯ膜は前記第１ＴＰＯスクリム層を備え、前記第２ＴＰＯ膜は前記第２ＴＰＯスクリム層を備える、請求項８に記載の屋根葺きバッテンシステム。
【請求項１７】
第１熱可塑性ポリオレフィン（ＴＰＯ）上層、第１ＴＰＯ下層、及び所望により、それらの間に配置された第１ＴＰＯスクリム層を備える第１ＴＰＯ膜と、
第２ＴＰＯ上層、第２ＴＰＯ下層、及び所望により、それらの間に配置された第２ＴＰＯスクリム層を備える第２ＴＰＯ膜と、
前記第１ＴＰＯ下層の第１部分及び前記第２ＴＰＯ上層の第１部分の間に位置するヒートシールを備える第１シール領域と、
前記第１ＴＰＯ下層の第２部分及び前記第２ＴＰＯ上層の第２部分の間に位置するヒートシールを備える第２シール領域と、
前記第１ＴＰＯ下層の第３部分及び前記第２ＴＰＯ上層の第３部分の間に位置するヒートシールを備える第３シール領域と、を備え、
前記第１シール領域及び前記第２シール領域は、第１非シール領域により分離され、
前記第２シール領域及び前記第３シール領域は、第２非シール領域により分離され、
前記第１非シール領域及び前記第２非シール領域は、前記第１ＴＰＯ膜及び前記第２ＴＰＯ膜の間に連結装置を収容するように構成された、シングルを屋根葺きバッテンシステムを有する屋根に固定する方法であって、
該方法は、
屋根下地に前記第２ＴＰＯ下層を固定すること、
第１部分、第２部分、第３部分及び第４部分を備える連結工具を前記第１非シール領域及び前記第２非シール領域に挿入して、前記第１部分が前記第１非シール領域に収容され、前記第２部分が前記第２シール領域の上端部と接し、前記第３部分が前記第２非シール領域に収容され、前記第４部分が連結工具を固定すること、及び、
前記連結工具にシングルを吊るすこと、を含む、シングルを屋根葺きバッテンシステムを有する屋根に固定する方法。
【請求項１８】
前記シングルは、スレートを含む、請求項１７に記載のシングルを屋根葺きバッテンシステムを有する屋根に固定する方法。
【請求項１９】
前記屋根下地に第２ＴＰＯ下層を固定することは、さらに前記第２ＴＰＯ下層を機械的に前記屋根下地に固定することを含む、請求項１７に記載のシングルを屋根葺きバッテンシステムを有する屋根に固定する方法。
【請求項２０】
前記屋根下地に第２ＴＰＯ下層を固定することは、さらに前記第２ＴＰＯ下層のデッキ側に接着剤を塗布すること、及び前記屋根に前記屋根葺きバッテンシステムを貼り合わせることを含む、請求項１７に記載のシングルを屋根葺きバッテンシステムを有する屋根に固定する方法。
【発明の詳細な説明】
【技術分野】
【０００１】
本願開示は、屋根葺きバッテン（battens）に関し、特に、膜の間に配置された１以上の連結装置を収容するように構成された２つの熱可塑性ポリオレフィン（ＴＰＯ）膜を有する熱可塑性ポリオレフィン系屋根葺きバッテンシステム（batten system）に関する。
【背景技術】
【０００２】
スレート（Slate）は、利用可能で最適な屋根葺き材の１つであり、アスファルトシングル屋根（asphalt shingle roofs）よりも多くの利点を有する。スレート屋根葺きは、耐火性を有し、ひょう害に耐え、１００年以上のサービス時間を有する。しかしながら、スレートは、残念ながら圧力によるダメージを受けやすい固い天然石材製品である。圧力はあらゆる方法でスレートにかけられるが、スレートにかけられる最も一般的な圧力の原因は、スレートを屋根デッキに取り付けるために用いられる釘である。釘を用いることに伴い、スレートが釘にすがりつくように釘は固定される必要がある。釘がしっかりと差し込まれれば、釘はスレートを締め付ける。一方で、釘が十分に深く差し込まれないと、隠れた圧点からスレートの重複片に割れが生じ得る。木製の敷板及び釘に及ぼされる環境的な影響も圧力の一因となる。温度及び湿度の振れのような環境的な変化は、敷板が膨張したり縮んだりすることを引き起こす。このような状況において釘が悪条件に晒されると、スレートは割れたり崩れたりし得る。
【発明の概要】
【課題を解決するための手段】
【０００３】
本願開示は、熱可塑性ポリオレフィン（ＴＰＯ）膜を有するバッテンシステムの様々な実施形態である。ある実施形態において、バッテンは互いにヒートシールされた複数のＴＰＯ膜を有し得る。ヒートシールされたＴＰＯ膜は、１以上の連結装置を噛み合わせるための膜の間に複数の非シール領域を有し得る。スレートシングル（Slate shingles）は、１以上の連結装置に吊るされ得る。
【０００４】
本願開示のいくつかの実施形態は、第１熱可塑性ポリオレフィン（ＴＰＯ）上層及び第１ＴＰＯ下層の間に配置された第１ＴＰＯスクリム層を有する第１ＴＰＯ膜と、第２ＴＰＯ上層及び第２ＴＰＯ下層の間に配置された第２ＴＰＯスクリム層を有する第２ＴＰＯ膜とを有し、前記第１ＴＰＯ膜及び前記第２ＴＰＯ膜の間の非シール領域を複数間隔を置いて残しつつ、前記第１ＴＰＯ下層は前記第２ＴＰＯ上層とシール領域でヒートシールされ、１以上の連結装置が、シール領域の上端部に沿って（mating）、かつ前記シール領域の下端部にひっかかることにより、各連結装置が屋根葺きバッテンシステムに固定されるように、前記第１ＴＰＯ膜及び前記第２ＴＰＯ膜の間の隣り合う非シール領域に収容される、屋根葺きバッテンシステムに関する。
【０００５】
いくつかの実施形態によると、屋根葺きバッテンシステムは、第１熱可塑性ポリオレフィン（ＴＰＯ）上層、第１ＴＰＯ下層、及び所望により、それらの間に配置された第１ＴＰＯスクリム層を有する第１ＴＰＯ膜と、第２ＴＰＯ上層、第２ＴＰＯ下層、及び所望により、それらの間に配置された第２ＴＰＯスクリム層を有する第２ＴＰＯ膜とを有し得、前記第１ＴＰＯ膜及び前記第２ＴＰＯ膜の間に間隔を置いて複数の非シール領域を有しつつ、前記第１ＴＰＯ下層は前記第２ＴＰＯ上層とシール領域でヒートシールされ、前記第１ＴＰＯ膜及び前記第２ＴＰＯ膜の間に位置する隣り合う非シール領域は、前記連結装置が、介在するシール領域の上端部と接し、介在するシール領域の下端部に留められるように、連結装置を収容する構成を有している。収容された連結工具は、例えば、第１非シール領域に収容可能な第１部分と、前記上端部と接触可能な第２部分と、第２非シール領域に収容可能な第３部分と、前記下端部に固定可能な第４部分とを含み得る。連結工具（例えば、第４部分）は、ホック、テール（tail）、ラッチ（latch）、ショルダー（shoulder）、又はこれらの組み合わせを含み得る。連結工具は、例えば、シングル（shingle）と接触する（例えば、シングルを固定する）ように構成された伸張部を含む第５部分を有し得る。いくつかの実施形態において、連結工具は、例えば、１つの開口部を有する概して矩形形状又は１つの開口部を有する概して六角形状のような適切な幾何学的形状を有し得る。
【０００６】
いくつかの実施形態によると、２以上の非シール領域は、実質的に互いに平行であり得る。いくつかの実施形態によると、第１非シール領域、第２非シール領域、又は第１非シール領域及び第２非シール領域の両方は、実質的にフォールライン（fall line）と平行であり得る。
【０００７】
本願開示のいくつかの実施形態は、第１熱可塑性ポリオレフィン（ＴＰＯ）上層、第１ＴＰＯ下層、及び選択的に、それらの間に配置された第１ＴＰＯスクリム層を有する第１ＴＰＯ膜と、第２ＴＰＯ上層、第２ＴＰＯ下層、及び選択的に、それらの間に配置された第２ＴＰＯスクリム層を有する第２ＴＰＯ膜とを有し得る屋根葺きバッテンシステムに関する。屋根葺きバッテンシステムは、前記第１ＴＰＯ下層の第１部分及び前記第２ＴＰＯ上層の第１部分の間に位置するヒートシールを有する第１シール領域と、前記第１ＴＰＯ下層の第２部分及び前記第２ＴＰＯ上層の第２部分の間に位置するヒートシールを有する第２シール領域と、前記第１ＴＰＯ下層の第３部分及び前記第２ＴＰＯ上層の第３部分の間に位置するヒートシールを有する第３シール領域とを有し、前記第１シール領域及び前記第２シール領域は、第１非シール領域により分離され、前記第２シール領域及び前記第３シール領域は、第２非シール領域により分離され、前記第１非シール領域及び前記第２非シール領域は、前記第１ＴＰＯ膜及び前記第２ＴＰＯ膜の間に位置する連結装置を収容するように構成されている。いくつかの実施形態において、第１ＴＰＯ膜及び第２ＴＰＯ膜は、ともに上端部及び下端部を規定する（例えば、ＴＰＯバッテンシステムの上端部及び下端部）。いくつかの実施形態において、非シール領域は、前記上端部に沿った開口部と前記下端部に沿った開口部とを含み得る。第１非シール領域は、連結工具が前記上端部と接触できるように構成され得、及び／又は、第２非シール領域は、連結工具が前記下端部で固定されるように構成され得る。いくつかの実施形態によると、収容された連結工具は、第１非シール領域に収容可能な第１部分と、上端部に接触可能な第２部分と、第２非シール領域に収容可能な第３部分と、下端部に固定可能な第４部分とを有し得る。連結工具（例えば、第４部分）は、ホック、テール、ラッチ、ショルダー又はこれらの組み合わせを含み得る。連結工具は、例えば、シングルと接する（例えば、固定する）ように構成された伸張部を有する第５部分を含み得る。いくつかの実施形態において、連結工具は、例えば、１つの開口部を有する概して矩形形状又は１つの開口部を有する概して六角形状を有し得る。いくつかの実施形態において、第１ＴＰＯ膜は第１ＴＰＯスクリム層を有し、第２ＴＰＯ膜は第２ＴＰＯスクリム層を有する。
【０００８】
いくつかの実施形態によると、本願開示は、シングルを、屋根葺きバッテンシステムを有する屋根及び／又は屋根下地に固定する方法に関する。ある方法で使用される屋根葺きバッテンシステムは、例えば、（ａ）第１ＴＰＯ上層、第１ＴＰＯ下層、及び選択的に、それらの間に配置された第１ＴＰＯスクリム層を有する第１ＴＰＯ膜と、（ｂ）第２ＴＰＯ上層、第２ＴＰＯ下層、及び選択的に、それらの間に配置された第２ＴＰＯスクリム層を有する第２ＴＰＯ膜と、（ｃ）前記第１ＴＰＯ下層の第１部分及び前記第２ＴＰＯ上層の第１部分の間に位置するヒートシールを有する第１シール領域と、（ｄ）前記第１ＴＰＯ下層の第２部分及び前記第２ＴＰＯ上層の第２部分の間に位置するヒートシールを有する第２シール領域と、（ｅ）前記第１ＴＰＯ下層の第３部分及び前記第２ＴＰＯ上層の第３部分の間に位置するヒートシールを有する第３シール領域とを有し得、前記第１シール領域及び前記第２シール領域は、第１非シール領域により分離され、前記第２シール領域及び前記第３シール領域は、第２非シール領域により分離され、前記第１非シール領域及び前記第２非シール領域は、前記第１ＴＰＯ膜及び前記第２ＴＰＯ膜の間に位置する連結装置を収容するように構成される。ある方法は、例えば、屋根下地に前記第２ＴＰＯ下層を固定すること、第１部分、第２部分、第３部分及び第４部分を有する連結工具を前記第１非シール領域及び前記第２非シール領域に挿入して、前記第１部分が前記第１非シール領域に収容され、前記第２部分が前記第２シール領域の前記上端部と接し、前記第３部分が前記第２非シール領域に収容され、前記第４部分が前記連結工具を固定すること、及び、前記連結工具にシングルを吊るすことを含み得る。ある実施形態において、ある方法は、スレートシングルを屋根及び／又は屋根下地に固定することを含み得る。前記第２ＴＰＯ下層を前記屋根下地に固定することは、機械的に前記第２ＴＰＯ下層を屋根下地に固定すること及び／又は前記第２ＴＰＯ下層のデッキ側を接着剤でコーティングすること及び屋根葺きバッテンシステムを屋根に貼り合わせることを含み得る。
【図面の簡単な説明】
【０００９】
【図１】本願開示に従った、ＴＰＯ膜の分解斜視図の一部である。
【００１０】
【図２Ａ】本願開示に従った、ＴＰＯバッテンシステムの断面図の一部である。
【００１１】
【図２Ｂ】本願開示に従った、図２ＡのＴＰＯバッテンシステムの上面図の一部である。
【００１２】
【図３Ａ】本願開示のある実施形態に従った、ＴＰＯバッテンシステムに収容された連結装置を有する図２Ａ及び図２Ｂに示したＴＰＯバッテンシステムの上面図の一部である。
【００１３】
【図３Ｂ】本願開示のある実施形態に従った、ＴＰＯバッテンシステムに収容された複数の連結装置を有する図２Ａ及び図２Ｂに示したＴＰＯバッテンシステムの上面図の一部である。
【００１４】
【図４Ａ】本願開示のある実施形態に従った、図３Ａ及び図３Ｂに示したＴＰＯバッテンシステムの連結装置の正面図である。
【００１５】
【図４Ｂ】本願開示のある実施形態に従った、図４Ａに示した連結装置の側面図である。
【００１６】
【図５】本願開示のある実施形態に従った、ＴＰＯバッテンシステムの大きさとともに示した図２Ｂに示したＴＰＯバッテンシステムの上面図の一部である。
【００１７】
【図６】本願開示に従った、屋根に導入されたＴＰＯバッテンシステムの斜視図である。
【発明を実施するための形態】
【００１８】
本願開示のある一態様の目的は、低価なスレート屋根設置システムを提供することにある。スレート屋根設置のある手法は、自己の共同所有の（commonly owned）米国特許第7,454,873号明細書に開示されている、例えばステンレス鋼ような金属から構成されたバッテンシステムとともに複数の連結装置を設置することを可能にする。また、本願開示に上記米国特許を参照によって組み込む。金属製のバッテンは、スレート屋根が設置されている施工に適し、さらに、あまり高価でない金属が、屋根設置の達成基準を満たすバッテンシステムを構築するために使われるのであれば、コストの節約が実現され得る。
【００１９】
ＴＰＯ膜を有するバッテンシステムの様々な実施形態をここで開示する。ＴＰＯ系屋根葺き膜は、今日の市場において入手可能な多くの屋根葺き膜のうちの１つである。ＴＰＯは、例えばエチレン−３Ｑプロピレンラバー（ＥＰＲ）又はエチレン−プロピレン−ジエンラバー（ＥＰＤＲ）のようなオレフィンコポリマーエラストマー（ＯＣＥ）を有する、例えばポリプロピレンポリマーのようなポリオレフィンプラスチックの溶融ブレンド又は反応ブレンドであり得る。商業的に入手可能なＴＰＯ膜の例として、SURE WELD（商標）（Carlisle Inc.）、GENFLEX（商標）（Omnova solutions, Inc）、ULTRAPLY（商標）（Firestone Building Products）及びEVERGURD TPO（商標）（OAF）が挙げられる。伸縮性のＴＰＯ膜は、自己の共同所有の（commonly owned）米国特許第7,666,491号明細書に開示されている。また、本願開示に上記米国特許を参照によって組み込む。
【００２０】
図１は、ＴＰＯ膜１００の分解斜視図の一部である。膜１００は、キャップ層１０２及びコア層１０４を有する。ある実施形態において、膜１００は、さらにキャップ層１０２とコア層１０４との間に実質的に挟まれた、選択的なスクリム層１０６を含み得る。スクリムは、一般的に複合のＴＰＯ膜１００における最も強固な層であり、膜を強化したり補強したりするのに用いられる材料の連続ストランドから構成された織布、不織布、またはニット布であり得る。布は、屋根葺き膜の張力に大きく寄与し、形状安定性を付与している。ある実施例において、布強化剤は、ポリエステルヤーン系スクリムを有する。ガラスファイバー系スクリムも、重量の増大及び／又は形状安定性が望まれる場合に用いられ得る。キャップ層１０２及びコア層１０４のそれぞれは、例えばＴＰＯのような材料から形成され得る。
【００２１】
図２Ａは、ＴＰＯバッテンシステム２００の断面図の一部である。図２Ｂは、ＴＰＯバッテンシステム２００の上面図である。ＴＰＯバッテンシステム２００は、公知のＴＰＯ膜であるＴＰＯ膜１００ａ、１００ｂを含み得る。ある実施形態において、ＴＰＯ膜１００ａ、１００ｂは上述したＴＰＯ膜に似得る。ある実施形態において、長さ方向２１０に沿った所望の間隔に非シール領域２０２を残しつつ、ＴＰＯ膜１００ａ、１００ｂは、シール領域２０４で互いにヒートシールされ得る。ある実施形態において、２つのＴＰＯ膜１００ａ、１００ｂは、ヒートシールというよりも接着剤を用いて互いに接着され得る。２つのＴＰＯ膜１００ａ、１００ｂは、共に、ホッチキスや類似の固定装置を用いて機械的に止められ得る。
【００２２】
シール領域２０４及非シール領域２０２は、ＴＰＯ膜１００ａの下層及びＴＰＯ膜１００ｂの上層の間に位置し得る。非シール領域２０２は、図２Ａにおいて開口領域としてはっきりと示されているが、シール領域２０４及び非シール領域２０２のいずれにおいてもＴＰＯ膜１００ａ、１００ｂは、通常時は互いに実質的に横に平らになり得ると理解すべきである。非シール領域２０２は、長さ方向２１０においてシール領域２０４により閉ざされ、それぞれ、第１端部２０６から第２端部２０８まで延伸する開口部を規定し得る。
【００２３】
適切な連結装置（図示されていない）が通り抜けられ、かつバッテンシステム２００に固定されるように、非シール領域２０２は構成され得る。ある実施形態において、図２Ｂに示すように、１以上の非シール領域２０２によって形成された開口部は、屋根によって形成されたフォールライン（例えば、屋根の頂上から下に屋根のスロープに水が注がれた場合の水が流れる屋根のライン）と平行となるように構成され得る。
【００２４】
バッテンシステム２００が家の屋根に設置されたとき、ＴＰＯ膜１００ａが雨風に晒される側に位置し、太陽光の方向に向けて上向き、ＴＰＯ膜１００ｂがデッキ側に位置し、屋根のデッキに向けて下向くようにバッテンシステム２００は配置され得る。バッテンシステム２００は、様々な手法により屋根デッキ（図示されていない）のような屋根下地に設置され得る。ある手法は、ネジ及び／又は釘（図示されていない）を用いてバッテンシステム２００を介して屋根下地に機械的に固定することを採用し得る。特に、バッテンシステム２００は、バッテンシステム２００の１以上のシール領域２０４に打ち込まれたネジ及び／又は釘を用いて屋根下地に機械的に固定され得る。他の手法は、ＴＰＯ膜１００ｂのデッキ側に例えば感圧接着剤のような接着剤を塗布して、屋根下地にバッテンシステム２００を貼り合わせることである。
【００２５】
図３Ａは、ＴＰＯバッテンシステムに収容された連結装置を有する図２Ａ及び図２ＢのＴＰＯバッテンシステムの上面図の一部である。図３Ｂは、ＴＰＯバッテンシステムに収容された複数の連結装置を有する図２Ａ及び図２Ｂに示したＴＰＯバッテンシステムの上面図の一部である。ある実施形態において、連結装置３０２は、ＴＰＯバッテンシステム２００の非シール領域２０２の１つに収容され得るハンガーを含む。ハンガーは、簡単に設置及び除去されることができ、スレートの適切な支持を促すので、ＴＰＯバッテンシステム２００に組み込まれるのに適し得る。ある実施形態において、連結装置３０２は、スプリングテンパー（spring tempered）ステンレス鋼から形成され得る。
【００２６】
連結装置３０２は、第１部材３０４及び第２部材３０６を有し得る。連結部材３０２は、ＴＰＯバッテンシステム２００の端部２０６からＴＰＯバッテンシステム２００へ収容され得る。第１部材３０４は、第１非シール２０２’に収容され、第２部材３０６は、隣の第２非シール領域２０２”に収容され得る。連結装置３０２が、非シール領域２０２’、２０２”に収容されたとき、連結装置３０２の部分３０８は、シール領域２０４に形成された第１端部２０６と接し（例えば、寄りかかる(rest against)）得る。連結装置３０２の第２部材３０６は、第１ＴＰＯ膜１００ａが実質的に第２ＴＰＯ膜１００ｂに寄りかかって、非シール領域２０２”が実質的に閉じたりとき、連結装置３０２がＴＰＯバッテンシステム２００から出たり、離れたりすることを防ぐように構成され得る。第２部材３０６は、第２端部２０８を噛み合わせるようにできるテール、ラッチ又はショルダーを含み得る。図３Ａ及び図３Ｂに示されたある実施形態において、第２部材３０６は、非シール領域２０２”に収容され、その後周辺に引っ掛けてＴＰＯバッテンシステム２００の第２端部２０８に噛み合わせることができるテールを含み得、それにより連結装置３０２がＴＰＯバッテンシステム２００から出たり、離れたりすることを防ぐことができる。
【００２７】
スレートシングル（図示されていない）が連結装置３０２の第１部材３０４に取り付けられたとき、重力により、連結装置３０２の部分３０８がＴＰＯバッテンシステム２００の端部２０６に引き寄せられる。ＴＰＯバッテンシステム２００が屋根デッキに配置されたとき、図６に示すように、連結装置３０２の第１部材３０４は、スレートシングルの吊り下げ重量が連結装置３０２から屋根デッキへと移動するように設計され得、それによりＴＰＯバッテンシステム２００に係る負荷が低減され、１以上のスレートシングルの重量が屋根デッキに分散する。
【００２８】
図３Ａ及び図３Ｂに戻ると、ＴＰＯバッテンシステム２００のＴＰＯ材料は、バッテンシステム２００の完全な状態を維持できるような十分な強度を提供しつつ、ＴＰＯ材料の弾性によりＴＰＯバッテンシステム２００がスレートシングルの重量を受けてわずかに変形し得る。いくつかの実施形態において、長時間に渡ると、連結装置３０２及びスレートシングルの重量により、ヒートシールされたＴＰＯ膜１００ａ、１００ｂがシール領域２０４において分離し始め得る。ヒートシールされたＴＰＯ膜１００ａ、１００ｂが分離すると、スレートシングルの配置は不安定となり得る。したがって、ある実施形態において、機械的剛性を向上させＴＰＯバッテンシステム２００の変形を低減させるために、留め具３１０がＴＰＯバッテンシステム２００に挿入され得る。２つのＴＰＯ膜１００ａ、１００ｂが互いにヒートシールされた後、又は留め具３１０の周辺で２つのＴＰＯ膜１００ａ、１００ｂがヒートシールされた後に、留め具３１０がＴＰＯバッテンシステム２００に挿入され得る。
【００２９】
１以上の留め具３１０は、１以上のシール領域２０４においてバッテンシステム２００に挿入される。図３Ａに示されているように、ある留め具３１０は、バッテンシステム２００のシール領域２０４の端部２０６から端部２０８までに至る間のほぼ中央部分に位置する。このような構成において、連結装置３０２がバッテンシステム２００に挿入されると、連結装置３０２の部分３０８が留め具３１０に寄りかかり得るポイントまでバッテンシステム２００がわずかに撓む。ある実施形態において、留め具３１０は、バッテンシステム２００の端部２０６に沿ったシール領域２０４の右上隅に位置し得る。図３Ｂに示されているように、２つの留め具３１０は、バッテンシステム２００の端部２０６に沿ったシール領域２０４のほぼ隅に位置する。このような構成において、バッテンシステム２００の端部２０６又はその付近に留め具３１０が位置するので、バッテンシステム２００は、ほんの少ししか撓まないか又は全く撓まない。図３Ｂには、上側に複数の留め具３１０が示されているが、いくつかの実施形態では、端部２０６付近に留め具３１０が１つのだけの場合もありえることに留意すべきである。さらに、例えば、３つ、４つ、５つ、１０つ等他の複数個の留め具が用いられ得ることも留意すべきである。
【００３０】
図４Ａは、図３Ａ及び図３ＢのＴＰＯバッテンシステムの連結装置の正面図である。図４Ｂは、図４Ａの連結装置の側面図である。上述したように、連結装置３０２は、第１部材３０４、第２部材３０６、部分３０８を有し得る。第１部材３０４は、ＴＰＯバッテンシステムが屋根デッキに配置されたとき、屋根から外に向かって延伸するように構成され得るホックを有し得る。第１部材３０４のホックは、スレートシングル（図示されていない）を収容して一体化するように構成され得る。したがって、第１部材３０４は、ホックでスレートシングルの下端を受け止めるように、少なくともスレートシングルの厚さ分外側に延伸し得る。
【００３１】
ＴＰＯバッテンシステムが屋根デッキに配置されたとき、第２部材３０６は、屋根から外側に延伸するようにも構成され得るテールを有し得る。第２部材３０６は、ＴＰＯバッテンシステムの第２端部（図示されていない）のまわりで引っ掛けられて第２端部と噛み合い、それにより、連結装置３０２がＴＰＯバッテンシステムから出ないまたは離れないようにし得る。第１部材３０４と比較すると、第２部材３０６は第１部材３０４ほど遠くに外側に引き伸ばされる必要はないかもしれない。第２部材３０６は、ＴＰＯバッテンシステムの第２端部のまわりで引っ掛けられて第２端部と噛み合うのに十分な分だけ外側に伸ばされていることが望ましい。
【００３２】
部分３０８は、ＴＰＯバッテンシステムのシール領域（図示されていない）と一体化（mate with）するように構成され得る。スレートシングル（図示されていない）が第１部材３０４で受け止められるとき、連結装置３０２の部分３０８がＴＰＯバッテンシステムの非シール領域の上端と接するようになるまで、重力により連結装置３０２が屋根デッキのフォールラインへと引き下ろされる。
【００３３】
図５は、本願開示のある実施形態に従った、大きさとともに示した図２Ｂの上面図の一部である。ある実施形態において、ＴＰＯバッテンシステム２００は、端部２０６から端部２０８までの長さが約１．２５インチから１．５インチの高さであり得、より詳しくは約１．３０インチから１．４５インチの高さであり得、さらにより詳しくは約１．３８インチの高さであり得る。ある実施形態において、ＴＰＯバッテンシステム２００は、長さ方向２１０に沿った長さとして、約３６インチから６０インチの長さであり得、より詳しくは約４２インチから５４インチの長さであり得、さらにより詳しくは約４６インチから５０インチの長さであり得る。図４の屋根の長さが４８インチよりも長いので、個々のＴＰＯバッテンシステム２００は、４フィートごとに屋根に配置され得る。
【００３４】
図５に戻ると、ある実施形態において、各非シール領域２０２は、長さ方向２１０に沿った長さとして、幅約０．４０インチから０．８５インチであり得、より詳しくは幅約０．５０インチから０．７５であり得、さらにより詳しくは幅約０．６０インチから０．６５であり得る。ある実施形態において、各シール領域は、長さ方向２１０に沿った長さとして、幅約０．６５インチから１．１０インチであり得、より詳しくは幅約０．７５インチから１．００インチであり得、さらにより詳しくは幅約０．８５インチから０．９０インチであり得る。各シール領域２０４の中央から隣りのシール領域２０４の中央までの幅は、長さ方向２１０に沿った長さとして、約１．２５インチから１．７５インチであり得、より詳しくは１．３５インチから１．６５インチであり得、さらにより詳しくは１．４５インチから１．５５インチであり得る。バッテンシステム２００は、コストを最小限にし、簡単に配置されるように本願で開示された実施形態に従って構成され得る。
【００３５】
図５に示された例示的な実施形態において、各バッテンシステム２００を有する２つの１．３８インチ×４８インチのＴＰＯ膜１００ａ、１００ｂの材料費は、およそ０．２６ドルであり、金属製のバッテンシステムと比べて最適化され、経費削減し得る。例示的な実施形態における膜１００ａ、１００ｂは、１．３８インチ×４８インチであるが、コストを最小化および配置しやすさの実現のため、バッテンシステム２００の膜１００ａ、１００ｂは、各々の長さをより短く及び／又は長くし得る。
【００３６】
図６は、屋根デッキ６００に配置されたＴＰＯバッテンシステム２００の斜視図である。図示されているように、１以上のバッテンシステム２００は、構造物の一方の端から他方の端まで屋根デッキ６００の長さ方向に沿って配置され得る。複数の連結装置３０２は、それぞれ、複数の連結装置３０２の第１部材がバッテンシステム２００に吊り下げられている状態で、バッテンシステム２００に沿って所望の間隔を開けて配置され得る。図６に示されているバッテンシステム２００は１つだけだが、連結装置３０２が実質的に屋根デッキ６００の表面すべてを覆うように、複数のバッテンシステム２００が屋根デッキ６００の上から下までの間で所望の間隔を開けて配置され得る。スレートシングルが屋根デッキ６００の表面の連続的な屋根葺きをなすように、１以上のスレートシングル（図示されていない）は、各連結装置３０２に取り付けられ得る。
【００３７】
開示された原理に従った様々な実施形態を述べてきたが、それらはただ単に例として表されたものであり、それらに限定されるものではない。従って、発明の広がりや範囲は、上述した模範的な実施形態によって限定されるべきではなく、請求項及び本願開示にから生じる同等のものに従ってのみ規定されるべきである。さらに、上記利点及び特徴は上述した実施形態に提供されているが、そのような登録された請求項の出願が、上記利点の幾つか又はすべてを達成するプロセス及び構造に限定されるべきではない。
【００３８】
更に、本願の冒頭は、３７Ｃ．Ｆ．Ｒ．１．７７における示唆に整合するよう、あるいは構成の手がかり（organizational cues）を提供するよう、与えられるものである。これらの冒頭の記載は、本願開示から与えられ得る請求項において定められる本発明を限定又は特徴付けするものではない。具体的には、「背景」における技術の説明は、技術が本願開示における発明に対する先行技術であることを認めているものとして解釈されるべきではない。更に、本願において単数形で示される「発明」の記載は、本願には１点の新規性しかないことを議論するために使用されるべきではない。複数の発明は、本願開示によって与えられる複数の請求項の限定に従って示され得、したがってかかる請求項が保護される発明及びそれと同等のものを定義付ける。全ての例において、かかる請求項の範囲は、本願開示を踏まえてその実体に基づいて考慮されるべきであり、本願の冒頭によって制約されるべきではない。
【図１】
2015501896.tif 000003
【図２Ａ】
2015501896.tif 000004
【図２Ｂ】
2015501896.tif 000005
【図３Ａ】
2015501896.tif 000006
【図３Ｂ】
2015501896.tif 000007
【図４Ａ】
2015501896.tif 000008
【図４Ｂ】
2015501896.tif 000009
【図５】
2015501896.tif 000010
【図６】
2015501896.tif 000011
【国際調査報告】
2015501896.tif 000012
2015501896.tif 000013